(57)【要約】【課題】通信先と通信するときに通信網から受信した特定信号を判別して、その判別結果に基づいて出力する画像データの出力属性を設定する画像通信装置および画像通信プログラムを提供する。【解決手段】画像通信装置２０はインターネットプロトコル通信網に接続し、ＶｏＩＰ通信を利用して画像データを出力する。画像通信装置２０は、その通信先に発呼するとその通信に係わる料金の有無や料金の高低などを示す特定信号をインターネットプロトコル通信網から受信する。この特定信号を判別して、無料で通信ができる場合には高画質の出力属性を設定し、有料で通信ができる場合には低画質の出力属性を設定し、出力にかかる費用と出力する画質とのバランスを保つ。【選択図】図２
2007013445.tif 000002
【特許請求の範囲】
【請求項１】
通信網から受信した特定信号に関する判別を行なう信号判別手段と、
前記信号判別手段で得た判別結果に基づいて、前記通信網を介して通信先に出力する画像データの出力属性を設定する出力設定手段と
を有することを特徴とする画像通信装置。
【請求項２】
通信網を介して通信先と通信するときに、前記通信網から受信した特定信号に関する判別を行なう信号判別手段と、
通信先と通信するときに前記信号判別手段で得た判別結果に基づいて、前記通信先に出力する画像データの出力属性を設定する出力設定手段と
を有することを特徴とする画像通信装置。
【請求項３】
通信網から受信した特定信号に関する判別を行なう信号判別手段と、
前記信号判別手段で得た判別結果に基づいて、設定可能な出力モード候補を表示する表示手段と、
前記表示手段に表示された前記出力モード候補の内、所望の出力モードを選択する選択手段と、
前記選択手段にて選択された前記出力モードに基づいて、前記通信網を介して通信先に出力する画像データの出力属性を設定する出力設定手段と、
を有することを特徴とする画像通信装置。
【請求項４】
前記信号判別手段で得た前記判別結果に基づいて、前記通信先に画像データを伝送するための通信媒体を切り替える通信媒体切替手段を有する
ことを特徴とする請求項１または２に記載の画像通信装置。
【請求項５】
前記選択手段にて選択された前記出力モードに基づいて、前記通信先に画像データを伝送するための通信媒体を切り換える通信媒体切替手段を有する
ことを特徴とする請求項３に記載の画像通信装置。
【請求項６】
前記信号判別手段は、通信先との接続を前記通信網に要求してから前記通信先との通信が確立する前に前記特定信号を判別する
ことを特徴とする請求項１乃至５のいずれか１つに記載の画像通信装置。
【請求項７】
前記信号判別手段は、前記通信先との接続を前記通信網に要求してから前記通信先と画像データの出力属性に関する能力交換を行なう前に前記特定信号を判別する
ことを特徴とする請求項１乃至５のいずれか１つに記載の画像通信装置。
【請求項８】
前記通信網はインターネットプロトコル通信網である
ことを特徴とする請求項１乃至７のいずれか１つに記載の画像通信装置。
【請求項９】
前記特定信号は前記通信先との通信に関する料金情報を表わす
ことを特徴とする請求項１乃至８のいずれか１つに記載の画像通信装置。
【請求項１０】
前記判別結果は、前記通信先との通信に関する課金の有無および／または料金の程度を示す
ことを特徴とする請求項１乃至９のいずれか１つに記載の画像通信装置。
【請求項１１】
通信先に対応付けて前記判別結果および／または前記出力設定手段により設定された出力属性の設定内容を記憶する記憶手段を有し、
前記出力設定手段は、通信先に応じて、前記記憶手段に記憶されている判別結果および／または出力属性の設定内容を読み出し、該読み出した判別結果および／または出力属性の設定内容に基づいて前記画像データの出力属性を設定する
ことを特徴とする請求項１乃至１０のいずれか１つに記載の画像通信装置。
【請求項１２】
前記信号判別手段は前記特定信号の有無を判別する
ことを特徴とする請求項１乃至１１のいずれか１つに記載の画像通信装置。
【請求項１３】
前記信号判別手段は前記特定信号の属性を判別する
ことを特徴とする請求項１乃至１１のいずれか１つに記載の画像通信装置。
【請求項１４】
前記信号判別手段は前記特定信号の受信周期を判別する
ことを特徴とする請求項１乃至１１のいずれか１つに記載の画像通信装置。
【請求項１５】
前記信号判別手段の前記判別結果に基づいて前記出力設定手段にて設定される前記出力属性は、少なくとも２種類以上存在する
ことを特徴とする請求項１乃至１４のいずれか１つに記載の画像通信装置。
【請求項１６】
前記出力属性は、その設定に応じて前記画像データのデータ量が変化するものを含む
ことを特徴とする請求項１乃至１５のいずれか１つに画像通信装置。
【請求項１７】
前記出力属性は、画像データの解像度、画像データの画質、画像データの符号化モードの少なくとも１つを含む
ことを特徴とする請求項１乃至１６のいずれか１つに記載の画像通信装置。
【請求項１８】
前記出力設定手段は、前記判別結果に基づいて、第１出力モードと、該第１出力モードより画像データ量が少ない第２出力モードと、該第２出力モードよりも画像データ量が少ない第３出力モードの内、１つのモードを選択し、選択されたモードにしたがって前記画像データの前記出力属性を設定する
ことを特徴とする請求項１乃至１７のいずれか１つに記載の画像通信装置。
【請求項１９】
通信網から受信した特定信号に関する判別を行なう信号判別手段と、
前記信号判別手段で得た判別結果に基づいて、画像データを通信先へ伝送するために使用する通信媒体を前記通信網と異なるものに切り替える通信媒体切替手段を有する
ことを特徴とする画像通信装置。
【請求項２０】
コンピュータに、請求項１乃至１９のいずれか１つに記載の画像通信装置としての機能を実行させるための画像通信プログラム。
【発明の詳細な説明】
【技術分野】
【０００１】
本発明は、通信網を利用する画像通信装置および画像通信プログラムに係わり、特に、通信する画像データの画質などを通信網から提供される信号を利用して最適化するための技術に関する。
【背景技術】
【０００２】
近年、インターネットプロトコル通信網(インターネットなど)の発達に伴い、この通信網を利用するファクシミリ通信機能を備えた装置が実用化されている。また、インターネットプロトコル通信網を介して音声データの通信を行なうＶｏＩＰ（Voice
over Internet Protocol）通信の技術が普及している。特に、この技術を利用する通話はＩＰ（インターネットプロトコル）電話と呼ばれている。
【０００３】
一般に、インターネットを利用する場合、定額制でキャリア（プロバイダ）と契約することが多いが、ＶｏＩＰ通信は、定額制であっても通信先によっては追加料金が発生することがある。たとえば、通信元のＶｏＩＰキャリアと通信先のＶｏＩＰキャリアとが同一ならばＶｏＩＰ通信は無料（追加料金なし）になり、通信先が公衆回線網であったり通信元と相違するＶｏＩＰキャリアであったりする場合には有料（追加料金あり）になる。また、ＶｏＩＰキャリア間の提携によって、特定のＶｏＩＰキャリア間のＶｏＩＰ通信の料金が通常よりも安く設定されている場合がある。そこでＶｏＩＰ通信では通信先に応じてその通信が有料であるか無料であるか、また料金が安いのか高いのかという料金情報を音声信号などで利用者に通知して便宜を図っている。
【０００４】
一方、画像データの通信において料金情報を利用する技術としては、たとえば、同一の通信先に対して、公衆回線網を利用して画像データを送信する場合の通信料金とＩＰ回線網にダイアルアップ接続し、インターネットファクシミリ機能を利用して画像データを電子メールで送信する場合の通信料金とをそれぞれ計算し、これらを対比してユーザに通知し、いずれの通信媒体を利用するかをユーザに選択させる技術がある（たとえば、特許文献１参照。）。
【０００５】
【特許文献１】特開２０００−３５４０５８号公報
【発明の開示】
【発明が解決しようとする課題】
【０００６】
しかしながら、特許文献１に開示された技術は、通信媒体毎の通信料金を通信開始前に算出したり、通信媒体の選択をユーザに要求したりするので、処理や操作が煩雑になるという問題があった。
【０００７】
さらに、上記のものは通信料金に基づいて通信媒体を切り替える技術であり、同じ通信媒体を用いる条件下で通信料金を低減することはできなかった。たとえば、ファクシミリ通信などの画像通信では、通信の確立後に通信先と画質や符号化方式などに係わる能力交換を行ない、その結果に基づいて画像データの出力属性（画質や符号化方式など）を決定するようになっている。このため、ＶｏＩＰ通信のように通信先によって通信料金の有料・無料が変化する場合でも、能力交換の結果、圧縮率の低い符号化方式や高い画質に決定されると、送信すべき画像データのデータ量が多くなり、有料の場合には通信料金が嵩むという問題があった。また、能力交換の後でなければ出力属性を決定できないので、より早い段階から画像データの画質を変換する処理などを進めることができなかった。
【０００８】
本発明は、上記の問題を解決しようとするものであり、通信料金に応じた出力属性で画像データを送信することのできる画像通信装置およびプログラムを提供することを目的としている。また、画像データの出力属性を早期に決定することのできる画像通信装置およびプログラムを提供することを目的としている。
【課題を解決するための手段】
【０００９】
以上の目的は以下のいずれかの構成によって達成される。
【００１０】
（１）  通信網から受信した特定信号に関する判別を行なう信号判別手段と、
前記信号判別手段で得た判別結果に基づいて、前記通信網を介して通信先に出力する画像データの出力属性を設定する出力設定手段と
を有することを特徴とする画像通信装置。
【００１１】
（２）  通信網を介して通信先と通信するときに、前記通信網から受信した特定信号に関する判別を行なう信号判別手段と、
通信先と通信するときに前記信号判別手段で得た判別結果に基づいて、前記通信先に出力する画像データの出力属性を設定する出力設定手段と
を有することを特徴とする画像通信装置。
【００１２】
（３）  通信網から受信した特定信号に関する判別を行なう信号判別手段と、
前記信号判別手段で得た判別結果に基づいて、設定可能な出力モード候補を表示する表示手段と、
前記表示手段に表示された前記出力モード候補の内、所望の出力モードを選択する選択手段と、
前記選択手段にて選択された前記出力モードに基づいて、前記通信網を介して通信先に出力する画像データの出力属性を設定する出力設定手段と、
を有することを特徴とする画像通信装置。
【００１３】
上記（１）に係わる発明によれば、通信網から特定信号を受信して、その特定信号を判別し、その判別結果に基づいて画像データの出力属性を設定する。
【００１４】
通信網は、インターネットプロトコル通信網でもよいし、公衆回線網でもよいし他の通信網であってもかまわない。
【００１５】
特定信号は通信網から送られてくるデータもしくはそのデータに基づく信号であればよく、音声信号でもよいし、他の信号形式でもよい。また、特定信号が示す情報は、たとえば、インターネットプロトコル通信網と公衆回線網とを識別するものでもよいし、回線品質を示すものでもよいし、通信の料金を示す情報でもよいし、他のものでもよい。
【００１６】
出力属性は出力に用いる画像データに係わる属性であればよく、たとえば、画像データの画質、解像度、符号化モード、回転方向、縮小率、カラー／黒白モードなどでもよいし、他のものでもよい。
【００１７】
上記（２）に係わる発明によれば、通信先と通信するときに通信網から受信した特定信号を判別し、その判別結果に基づいて、その通信先に対して出力する画像データの出力属性を設定する。
【００１８】
通信先と通信するときに通信網から受信する特定信号は、その通信先との通信に利用する経路に応じて発信される。そのため、通信先が相違すればその経路が相違し、それに応じて発信される特定信号も相違する。すなわち、出力属性は通信先毎の特定信号に応じて設定される。
【００１９】
上記（３）に係わる発明によれば、通信網から特定信号を受信して、その特定信号を判別し、その判別結果に基づいて設定可能な出力モードの候補を表示し、選択された出力モードに基づいて出力する画像データの出力属性を設定する。
【００２０】
出力モードは、画像データに係わる各種の出力属性に対する設定値の組み合わせを表わしている。出力モードは出力属性の設定値が相違するように複数用意され、画像データに対して出力属性を設定する際に選択肢として使用される。
【発明の効果】
【００２１】
本発明に係わる画像通信装置によれば、通信網から提供される特定信号が示す情報に基づいて画像データの出力属性を変更することができる。また、通信先と通信するときに特定信号を判別するものでは、通信網から受信した特定信号に基づいてその通信先に応じた画像データの出力属性に変更することができる。たとえば、特定信号が通信先との通信料金に係わる情報であれば、その通信先との通信料金に応じた出力属性で画像データを送信できる。
【発明を実施するための最良の形態】
【００２２】
以下、図面に基づき本発明の実施の形態を説明する。
【００２３】
図１は、本発明の実施の形態に係わる画像通信装置２０が接続された画像通信システム１０の一例を示している。
【００２４】
画像通信システム１０は、インターネットプロトコルを利用して通信を行なうＩＰ通信網としてのインターネット１１と、ＩＳＤＮを含む公衆回線網１２とで構成されている。インターネット１１にはオフィスや会社単位で構成されるＩＰ通信網としてのネットワークセグメントＳｇ１、Ｓｇ２が接続されている。ネットワークセグメントＳｇ１、Ｓｇ２はＬＡＮ（ローカル・エリア・ネットワーク）として構成される。
【００２５】
ネットワークセグメントＳｇ１には、複数のアダプタ１３、パーソナルコンピュータ１５が接続され、アダプタ１３を介してそれぞれ電話機１４や画像通信装置２０が接続されている。
【００２６】
アダプタ１３は電話機１４や画像通信装置２０から入力される音声信号に対して音声符号化技術（たとえば、ＩＴＵ−Ｔ勧告Ｇ.７１１準拠など）を用いてデータに変換しそれをデータパケットとして通信先に対して送出する機能と、受信したデータパケットを音声信号として復号化し電話機１４や画像通信装置２０に送出する機能とを有する。なお、ＶｏＩＰ通信を実現する方式は複数（ＳＩＰ（Session
Initiation Protocol）やＨ.３２３など）あるが、インターネット１１上で音声信号を送受できるならばその方式は問わない。
【００２７】
また、アダプタ１３は、接続されている電話機１４や画像通信装置２０に対して該アダプタ１３が接続されているネットワークセグメントＳｇ１やインターネット１１の通信網の一部として通信網に係わる情報を特定信号として送出する機能を有している。
【００２８】
アダプタ１３に接続されている画像通信装置２０は、画像データなどのデジタル信号をモデムで変調して音声信号として出力する機能を有し、アダプタ１３はその出力された音声信号をデータパケットに変換して通信先に送出するようになっている。
【００２９】
ネットワークセグメントＳｇ２には、電話機１４ａ、画像通信装置２０ａがネットワークケーブルを介して直接ＬＡＮに接続される。電話機１４ａはいわゆるＩＰ電話機と呼ばれ、その内部に音声信号をデータパケットに変換する機能を有している。また、画像通信装置２０ａはその内部に、通信に用いる信号を「みなし音声」方式によって音声信号に変換し、さらにその音声信号をデータパケットに変換する機能を有している。なお「みなし音声」とは、デジタルデータをモデムで変調して得たアナログ音声信号をいう。
【００３０】
ネットワークセグメントＳｇ２は、たとえば、企業内ネットワークで内線機能などを含めたＩＰ電話網を一括管理するＩＰセントレックス（IP Centrex）やＩＰ通信網上でＰＢＸ（構内交換機：Private Branch eXchange）の機能を実現するＩＰ−ＰＢＸなどの形式で実現される。この形式において、図示省略のデータパケットを制御する装置などによりネットワークセグメントＳｇ２に接続した機器に係わる通信の制御を行なうようになっている。
【００３１】
インターネット１１上には、呼制御サーバ１６が接続されている。この呼制御サーバ１６は電話機１４、１４ａや画像通信装置２０、２０ａが発呼した通信先との間に接続を確立できるか否かの検証を行なう。この検証結果が接続可能である場合は、その通信先までの経路に係わる情報である経路情報を通信元の電話機１４、１４ａや画像通信装置２０、２０ａに提供する機能を果たす。この経路情報に基づいて通信元は通信先に対してデータの通信を行なう。
【００３２】
また、インターネット１１にはＶｏＩＰキャリアが設置するゲートウェイ１７が接続される。ゲートウェイ１７はインターネット１１と公衆回線網１２とを接続する役割を果たす。
【００３３】
詳細には、ゲートウェイ１７はインターネット１１上のＶｏＩＰ通信に係わるデータパケットをデジタル音声データに変換して公衆回線網１２上の通信先へと送出する機能と、公衆回線網１２上のデジタル音声データを音声符号化して所定のインターネット１１上の通信先へと送出する機能とを有し、インターネット１１に接続された機器と公衆回線網１２に接続された機器との通信を可能にする役割を果たす。
【００３４】
なお、ゲートウェイ１７から公衆回線網１２を経由して通信を行なう場合は公衆回線網１２を利用するため、公衆回線網１２の使用料が発生する。
【００３５】
図２は、本発明の実施の形態に係わる画像通信装置２０の電気的構成を示している。
【００３６】
画像通信装置２０は、原稿を読み取って画像データに変換し、公衆回線網１２やＩＰ通信網などを介してその画像データを送信するファクシミリ送信機能およびまたは外部装置から画像データを受信するファクシミリ受信機能を有する。さらに、画像通信装置２０は原稿を読み取ってその複製画像を印刷する複写機能、読み取った画像データを外部へ出力するスキャナ機能、受信した印刷データに応じて印刷するプリンタ機能などを備えた複合機として構成される。
【００３７】
画像通信装置２０は、当該装置の動作を統括制御するＣＰＵ（中央処理装置）２１を備えている。ＣＰＵ２１には、システムバスを通じてＲＯＭ（リード・オンリ・メモリ）２２、ＲＡＭ（ランダム・アクセス・メモリ）２３、読取部２４、プリンタ部２５、ファクシミリ部２６、表示操作部２７、通信部２８、画像変換部２９が接続されている。
【００３８】
ＲＯＭ２２は、ＣＰＵ２１が実行するプログラムや各種固定データを記憶している。ＲＡＭ２３は、ＣＰＵ２１がプログラムを実行する際に各種データを一時的に格納するワークメモリや、画像データを一時的に記憶するページメモリとして機能する。
【００３９】
読取部２４は、原稿画像を読み取って対応する画像データを取り込む機能を果たす。読取部２４は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００４０】
プリンタ部２５は、画像データに対応する画像を電子写真プロセスによって記録紙上に形成して出力する機能を果たす。プリンタ部２５は、記録紙の搬送装置と、感光体ドラムと、帯電装置と、レーザーユニットと、現像装置と、転写分離装置と、クリーニング装置と、定着装置とを有するいわゆるレーザープリンタとして構成されている。
【００４１】
ファクシミリ部２６は、ファクシミリとしての機能を果たす部分である。画像データをファクシミリに対応した圧縮方式で圧縮・伸張する機能や、ファクシミリ送受信のための各種通信手順を制御する役割を果たす。また、ファクシミリ部２６はＩＰ通信網を利用してファクシミリ通信を行なう場合に、ファクシミリ通信に係わるデジタル信号をモデムで変調して得た音声信号を出力する機能を利用するようになっている。
【００４２】
さらに、ファクシミリ部２６は、Ｔ.３７準拠の「インターネットファクシミリ機能」を用いてＩＰ通信網上でファクシミリ送信を実現する機能を有する。詳細には、出力する画像データを電子メールに添付してその電子メールの送受によって画像データの出力を実現する。
【００４３】
表示操作部２７は、表面にタッチパネルを備えた液晶ディスプレイと各種の操作スイッチとから構成され、ユーザに各種の案内表示や状態表示を行なったり、ユーザから各種の操作を受け付けたりする機能を有している。
【００４４】
通信部２８は、公衆回線網１２や各種のネットワークと接続するインターフェイスを有し、それらインターフェイスを介して外部の機器と通信する役割を果たす。たとえば、ネットワークＩ／Ｆ（インターフェイス）を備えてＩＰ通信網に接続された機器と通信を行なうようになっている。
【００４５】
画像変換部２９は、ファクシミリ部２６から出力する画像データの出力属性を変換する役割を果たす。画像変換部２９は、画像データの解像度、画質、符号化方式などを変更する。また、「インターネットファクシミリ機能」などで電子メールなどの出力媒体を用いる場合にもその媒体に合わせた出力属性となるように画像データを変換する機能を果たす。
【００４６】
ＣＰＵ２１は、信号判別手段３１と出力設定手段３２と通信媒体切替手段３３としての役割を果たす。
【００４７】
信号判別手段３１は、所定の通信先と通信するときに通信網から受信し得る特定信号に関する判別を行なう役割を担う。信号判別手段３１は、特定信号を音声信号として受信し、その特定信号の有無や属性からその特定信号が示している情報を判別する。特定信号の属性とは特定信号の周波数や受信周期などである。さらに、その判別結果を、たとえば、ＲＡＭ２３や図示省略の記憶装置などに記憶し、その判別結果を他の手段から利用できるように構成される。
【００４８】
出力設定手段３２は、信号判別手段３１の判別結果に基づいて、出力する画像データの解像度、画質、符号化モードなどの出力属性を設定する役割を果たす。出力設定手段３２が設定した出力属性の値に従って画像変換部２９は画像データを変換する。
【００４９】
出力設定手段３２は、各種の出力属性に対する設定値の組み合わせを表わした出力モードを予め複数種類記憶している。これらの出力モード（設定状態）は出力設定手段３２が画像データの出力属性を設定する際に選択肢として使用され、出力設定手段３２は信号判別手段３１の判別結果に応じていずれかの出力モードを選択するようになっている。
【００５０】
たとえば、出力する画像データが高画質で画像データ量が多くなる第１出力モードと、出力する画像データが通常画質で第１出力モードに比べて画像データ量が少なくなる第２出力モードと、出力する画像データが低画質で、第２出力モードに比べて画像データ量が少なくなる第３出力モードとを用意しておく。そして、特定信号の判別結果が通信料金「無料」であるときは通信時間に応じた課金がないので出力設定手段３２は高画質用の第１出力モードを選択する。一方、判別結果が通信料金「有料」でありかつ高い料金が適用されるときには、通信時間に応じて課金されるので、短時間で通信が終了するように画像データ量が少なくなる低画質用の第３出力モードを選択する。また、通信料金が「有料」であり低い料金が適用されるときには、通常画質用の第２出力モードを選択する。このように出力設定手段３２は、特定信号の判別結果から認識した料金体系に応じて出力モードを選択し、画像データ量を調整するようになっている。
【００５１】
詳細には、出力設定手段３２が選択する出力モードによって、すべての出力属性が決定されるわけではなく、通信先との能力交換（ＩＴＵ−Ｔ勧告Ｔ.３０準拠のＧ３ファクシミリの送信手順フェーズＢ）を含めて最終的な出力属性は決定される。しかしながら、特定信号の判別結果を利用することで、画像データ量を抑制すべきか否かなどの判断を能力交換の前に進めることが可能になっている。
【００５２】
なお、出力モードに登録される各種の出力属性に対する設定値はユーザが設定してもよい。また、特定信号の判別結果をユーザに報知して、判別結果に基づいてユーザが出力モードを選択するようにしてもよい。
【００５３】
通信媒体切替手段３３は、画像データの出力に用いる通信媒体が使用できるか否かを検査する役割を果たす。また、出力設定手段３２が選択した出力モードに従って、通信媒体を切り替えて通信を行なう機能を有する。より具体的には、通信部２８が接続する通信網を、ＩＰ通信網、公衆回線網、その他のネットワークとの間で切り替えるものである。
【００５４】
詳細には、通信媒体とその通信媒体に対応した出力属性は対になって出力モードに登録されており、出力モードを選択すると、通信媒体と出力属性とが一括して選択されるようになっている。たとえば、通信媒体としてＴ.３７準拠の電子メールを利用することとそれに対応した出力属性（符号化モードをＭＨ（モディファイド・ハフマン）方式にするなど）の設定値とが対になって出力モードに登録されている場合に、この出力モードを選択すると、通信媒体切替手段３３は通信媒体を電子メールに切り替え、出力設定手段３２はその通信媒体に対応した出力属性を設定する。なお、出力属性と通信媒体は一括して設定する必要はなく、これらを別々のタイミングで設定してもかまわない。
【００５５】
ＶｏＩＰ通信は、通信先によって課金が発生する場合と発生しない場合とがある。課金の発生はその通信先に対してデータを送受する通信経路に依存する。以下、通信経路のパターンとそのときの課金発生の有無とについて順に説明する。
【００５６】
図３は、ネットワークセグメントＳｇ１にある画像通信装置２０とネットワークセグメントＳｇ２にある画像通信装置２０ａとの間に確立された通信経路Ｒ１を示している。通信経路Ｒ１は、ネットワークセグメントＳｇ１の画像通信装置２０とネットワークセグメントＳｇ２の画像通信装置２０ａとをインターネット１１を経由して接続する通信経路である。
【００５７】
ネットワークセグメントＳｇ１とネットワークセグメントＳｇ２とはそれぞれ同じＶｏＩＰキャリアとＶｏＩＰ通信方式とを利用している。そのため、インターネット１１を介して直接的にＶｏＩＰ通信に係わるデータパケットの送受ができ、電子メール送信やホームページ閲覧に係わるデータパケットの送受と同様に課金が発生しない。原理的には同一のネットワークセグメントに接続している装置間で内線として通信することと変わらない。
【００５８】
画像通信装置２０からの発呼（通信先との接続の要求）を受けて呼制御サーバ１６は画像通信装置２０が通信先として指定した画像通信装置２０ａへの通信経路Ｒ１を把握し、その経路情報をアダプタ１３に送出する。アダプタ１３は、呼制御サーバ１６から受信した経路情報に基づいて画像通信装置２０に対して課金が発生しないこと（無料）を示す特定信号を音声信号の形式で通信が確立する前に送出する。画像通信装置２０はこの特定信号を受信して判別することで、その判別結果に応じた出力モードを通信の確立前に選択することができる。特定信号を送出した後にアダプタ１３は経路情報に基づいて画像通信装置２０と画像通信装置２０ａとの通信経路Ｒ１を確立し、データパケットの送受すなわち通信を行なう。
【００５９】
図４は、ネットワークセグメントＳｇ１にある画像通信装置２０と公衆回線網１２に接続された画像通信装置２０ｂとの間に確立された通信経路Ｒ２を示している。
【００６０】
通信経路Ｒ２は、ネットワークセグメントＳｇ１の画像通信装置２０と公衆回線網１２上の画像通信装置２０ｂとをゲートウェイ１７を経由して接続する通信経路である。ゲートウェイ１７を経由することで、インターネット１１と公衆回線網１２との間でＶｏＩＰ通信が実現できるようになっている。詳細には、アダプタ１３から出力されたＶｏＩＰ通信に係わるデータパケットがゲートウェイ１７によってデジタル音声データに変換され、公衆回線網１２上の画像通信装置２０ｂに送出される。
【００６１】
通信経路Ｒ２を利用する通信では、公衆回線網１２を使用して通信を行なうために、公衆回線網１２の使用に係わる料金が発生し、結果として通信経路Ｒ２を用いたＶｏＩＰ通信が有料になる。
【００６２】
画像通信装置２０からの発呼を受けて呼制御サーバ１６は画像通信装置２０が通信先として指定した画像通信装置２０ｂへの通信経路Ｒ２を把握し、その経路情報をアダプタ１３に送出する。アダプタ１３は、呼制御サーバ１６から受信した経路情報に基づいて画像通信装置２０に対して課金の発生（有料）を示す特定信号を通信が確立する前に音声信号の形式で送出する。画像通信装置２０はこの特定信号を受信して通信の確立前に判別することで、その判別結果に応じた出力モードを通信の確立前に選択することができる。
【００６３】
特定信号を送出した後にアダプタ１３は経路情報に基づいて画像通信装置２０と画像通信装置２０ｂとの間に通信経路Ｒ２を確立して、通信を行なう。
【００６４】
図５は、画像通信システム１０ａにおいてネットワークセグメントＳｇ１にある画像通信装置２０とネットワークセグメントＳｇ３にある画像通信装置２０ｃとの間に確立された通信経路Ｒ３を示している。
【００６５】
画像通信システム１０ａは画像通信システム１０のネットワークセグメントＳｇ２が別のＶｏＩＰキャリアを利用するネットワークセグメントＳｇ３に置き換えられたものである。すなわち、ネットワークセグメントＳｇ１とネットワークセグメントＳｇ３とが利用するＶｏＩＰキャリアとＶｏＩＰ通信方式とは相違している。
【００６６】
通信経路Ｒ３は、ネットワークセグメントＳｇ１の画像通信装置２０とネットワークセグメントＳｇ３の画像通信装置２０ｃとを公衆回線網１２を経由して接続する通信経路である。詳細には、通信経路Ｒ３はネットワークセグメントＳｇ１のＶｏＩＰキャリアが設置するゲートウェイ１７とネットワークセグメントＳｇ３のＶｏＩＰキャリアが設置するゲートウェイ１７ａとを介して公衆回線網１２を経由している。
【００６７】
利用しているＶｏＩＰ通信方式が通信元と通信先とで相違する場合は、インターネット１１を直接経由してデータパケットの送受を行なうと、データパケットから音声信号へと変換する時にその方式が相違することによる不具合が生じやすい。そのため、アダプタ１３から出力されたデータパケットをゲートウェイ１７で音声信号に変換して公衆回線網１２を経由させ、さらに、通信先のＶｏＩＰキャリアが設置するゲートウェイ１７ａで最適な方式のデータパケットに変換してＶｏＩＰ通信を実現する通信経路Ｒ３が選択される。
【００６８】
呼制御サーバ１６は、通信元の画像通信装置２０が利用しているＶｏＩＰ通信方式と通信先の画像通信装置２０ｃが利用しているＶｏＩＰ通信方式とを調べ、これらが相違すると判断した場合は、公衆回線網１２を経由する通信経路Ｒ３の経路情報をアダプタ１３に送出する。
【００６９】
アダプタ１３は、呼制御サーバ１６から受信した経路情報に基づいて画像通信装置２０に対して課金の発生を示す特定信号を音声信号の形式で送出する。また、図４で示す通信経路Ｒ２と本図で示す通信経路Ｒ３とを利用するＶｏＩＰ通信の通信料金に相違がある場合に、アダプタ１３は呼制御サーバ１６が示す経路情報からその相違を把握し、その相違を識別できるような特定信号を送出する。
【００７０】
なお、通信元のネットワークセグメントと通信先のネットワークセグメントとが別のＶｏＩＰキャリアや別のＶｏＩＰ通信方式を利用していても２つのネットワークセグメント間で相互に乗り入れ可能な装置を設置し、その装置を経由するＶｏＩＰ通信に課金を行なわない場合がある。また、通信元のネットワークセグメントと通信先のネットワークセグメントとが同一のＶｏＩＰ通信方式を用いていても、課金サーバなどを用いてＶｏＩＰ通信を管理し課金を行なう場合がある。いずれの場合にもそのＶｏＩＰ通信に対する課金の有無や通信料金の高低を示す特定信号が画像通信装置２０に送出される。
【００７１】
図３から図５では、アダプタ１３を介して画像通信装置２０がＶｏＩＰ通信を利用して画像データを出力する例について説明した。一方、直接ＬＡＮに接続する画像通信装置２０ａ、２０ｃからＶｏＩＰ通信を利用して画像データを出力する場合は、ＶｏＩＰ通信を制御する図示省略の装置から課金を表わす特定信号が画像通信装置２０ａ、２０ｃに対して送出される。そのため、画像通信装置２０と同様に画像通信装置２０ａ、２０ｃは特定信号を受信して判別できるようになっている。なお、受信した特定信号を音声信号に変換することなくそのまま解析するようにしてもかまわない。
【００７２】
図６から図８は、画像通信装置２０が受信した特定信号を判別する特定信号判別処理の流れを示している。なお、特定信号の種類は複数あるが、代表的な３種類について説明する。
【００７３】
図６は、課金の有無を示す特定信号を判別対象にした第１特定信号判別処理の流れを示している。
【００７４】
信号判別手段３１は呼出音の前に特定信号が発せられたか否かを検知する（ステップＳ１００）。特定信号を検知した場合は（ステップＳ１００；Ｙ）、通信先への通信料金は無料であるため、無料フラグを「オン」に設定する（ステップＳ１０１）。また、特定信号を検知できない場合は（ステップＳ１００；Ｎ）、通信先への通信料金は有料であるため、無料フラグを「オフ」に設定し（ステップＳ１０２）、処理を終了する（エンド）。
【００７５】
図７は、課金の有無、およびまたは課金される料金の高低（程度）とを周波数の違いで示す特定信号を判別対象とした第２特定信号判別処理の流れを示している。ここでは、通信料金が高い場合は４００Ｈｚ、低い場合は７００Ｈｚ、無料の場合は１２００Ｈｚに周波数が設定されている。
【００７６】
信号判別手段３１は呼出音の前に特定信号を受信したか否かを検知する（ステップＳ１１０）。特定信号を検知した場合は（ステップＳ１１０；Ｙ）、その周波数が４００Ｈｚであるか否かを調べる（ステップＳ１１１）。周波数が４００Ｈｚである場合は（ステップＳ１１１；Ｙ）、通信先への通信料金が高いため無料フラグを「オフ」、低料金フラグを「オフ」に設定し（ステップＳ１１３）、処理を終了する（エンド）。
【００７７】
また、特定信号を検知できない場合は（ステップＳ１１０；Ｎ）、課金の有無や料金の高低を判断できないため最も高い通信料金を想定して無料フラグを「オフ」、低料金フラグを「オフ」に設定し（ステップＳ１１３）、処理を終了する（エンド）。
【００７８】
一方、検知した周波数が７００Ｈｚである場合は（ステップＳ１１１；Ｎ、Ｓ１１２：Ｙ）、通信先への通信料金が低いため無料フラグを「オフ」、低料金フラグを「オン」に設定して（ステップＳ１１４）、処理を終了する（エンド）。
【００７９】
また、検知した周波数が４００Ｈｚでも７００Ｈｚでもない場合は（ステップＳ１１１；Ｎ、Ｓ１１２；Ｎ）、通信先への通信料金が無料であるため無料フラグを「オン」に設定し（ステップＳ１１５）、処理を終了する（エンド）。
【００８０】
図８は、課金の有無、およびまたは課金される料金の高低（程度）とを発信間隔の違いで示す特定信号を判別対象とした第３特定信号判別処理の流れを示している。ここでは、発信間隔が２秒の場合は通信料金が有料かつ高いことを、１秒の場合は有料かつ低いことを示す。また、無料の場合は、連続して３回特定信号が発信され、所定の間隔後に再び連続して３回特定信号が発信される周期を繰り返すようになっている。
【００８１】
信号判別手段３１は呼出音の前に特定信号を受信したか否かを検知する（ステップＳ１２０）。特定信号を検知した場合は（ステップＳ１２０；Ｙ）、その発信間隔が２秒であるか否かを調べる（ステップＳ１２１）。発信間隔が２秒である場合は（ステップＳ１２１；Ｙ）、通信先への通信料金は高いため無料フラグを「オフ」、低料金フラグを「オフ」に設定し（ステップＳ１２３）、処理を終了する（エンド）。
【００８２】
また、特定信号を検知できない場合は（ステップＳ１２０；Ｎ）、課金の有無や料金の高低を判断できないため最も高い通信料金を想定して無料フラグを「オフ」、低料金フラグを「オフ」に設定し（ステップＳ１２３）、処理を終了する（エンド）。
【００８３】
一方、特定信号の発信間隔が１秒である場合は（ステップＳ１２１；Ｎ、Ｓ１２２；Ｙ）、通信先への通信料金は低いため無料フラグを「オフ」、低料金フラグを「オン」に設定し（ステップＳ１２４）、処理を終了する（エンド）。
【００８４】
特定信号の発信間隔が１秒または２秒でない場合は（ステップＳ１２１；Ｎ、１２２；Ｎ）、通信先への通信が無料であるため無料フラグを「オン」に設定し（ステップＳ１２５）、処理を終了する（エンド）。以上から明らかなように、受信した特定信号に基づいて、当該通信先との通信に関して、課金の有無、およびまたは課金される料金の程度とを判別することができる。
【００８５】
図９は、画像通信装置２０がＩＰ通信網からの特定信号に基づいて出力属性を設定して画像データを出力する処理の流れを示している。
【００８６】
画像通信装置２０は読取部２４で原稿の読み取りを開始し（ステップＳ２００）、読み取った原稿の画像データをＲＡＭ２３に記憶する。そして、ＶｏＩＰ通信を用いて通信先に発呼を開始し（ステップＳ２０１）、特定信号判別処理を実行する（ステップＳ２０２）。この例では、図８で示した第３特定信号判別処理を実行している。なお、いずれの特定信号判別処理を実行するかは、接続されたＩＰ通信網から提供される特定信号の種類に応じてユーザが予め選択しておいてもよいし、到来した特定信号の特徴を画像通信装置２０で判別し、実行すべき特定信号判別処理を該判別結果に応じて自動選択してもよい。
【００８７】
出力設定手段３２は通信先に対して画像データを出力する通信経路に通信料金が発生するか否かを無料フラグの値から把握する（ステップＳ２０３）。無料フラグが「オン」ならば（ステップＳ２０３；Ｙ）、通信先に対しての画像データの出力に係わる通信料金を気にする必要がないので、高画質、画像データが大容量で、結果として通信時間が長くかかる出力モード（第１出力モード）を選択する（ステップＳ２０５）。
【００８８】
無料フラグが「オフ」ならば（ステップＳ２０３；Ｎ）、通信先への画像データの出力に係わる通信料金は「有料」である。出力設定手段３２はその通信先への画像データを出力する通信料金の高低を低料金フラグの値から把握する（ステップＳ２０４）。
【００８９】
低料金フラグが「オン」ならば（ステップＳ２０４；Ｙ）、通信料金は低いので、通常の画質、通常容量の出力モード（第２出力モード）を選択する（ステップＳ２０６）。一方、低料金フラグが「オフ」ならば（ステップＳ２０４；Ｎ）、通信料金は高いので、短い時間で通信を終了するように低画質、小容量の出力モード（第３出力モード）を選択する（ステップＳ２０７）。
【００９０】
選択された出力モードに従って画像変換部２９で変換した画像データを通信先に出力し（ステップＳ２０８）、処理を終了する(エンド)。
【００９１】
このように、通信の確立以前に特定信号を判別しその判別結果に応じて出力モードを選択するので、通信の確立以前に課金の状況を把握し、その把握結果が無料の場合は高画質、大容量の出力モードを選択できる。また、その把握結果が有料の場合はその課金される料金に応じて出力モードを選択し、通信時間と料金とを調整できる。これにより、ユーザに料金の判断を強いることを回避できる。
【００９２】
図１０は、画像通信装置２０がＩＰ通信網からの特定信号に基づいて出力属性の設定および通信媒体の選択を行なって画像データを出力する処理の流れを示している。
【００９３】
読取部２４で原稿の読み取りを開始し（ステップＳ３００）、読み取った原稿の画像データをＲＡＭ２３に記憶する。そして、ＶｏＩＰ通信を用いて通信先に発呼を開始し（ステップＳ３０１）、特定信号判別処理を実行する（ステップＳ３０２）。無料フラグが「オン」の場合は（ステップＳ３０３；Ｙ）、高画質、大容量の出力モード（第１出力モード）を選択する(ステップＳ３０５)。その選択した出力モードに従って画像変換部２９で変換した画像データを通信先に出力し（ステップＳ３０７）、処理を終了する（エンド）。
【００９４】
無料フラグが「オフ」ならば（ステップＳ３０３；Ｎ）、通信媒体切替手段３３はＶｏＩＰ通信使用以外の他の通信媒体を利用可能か否かを判断する（ステップＳ３０４）。ここでは、インターネットファクシミリ機能（Ｔ.３７準拠の電子メールを用いる方式（以降、Ｔ.３７方式という））が利用可能か否かを調べる。たとえば、選択可能な出力モードの中に通信媒体としてＴ.３７方式を登録したものが存在しない場合や、メールサーバからの反応を検知できない場合や、通信先がメールを受信できない環境であることが把握されている場合などはＴ.３７方式が利用できないと判断する。
【００９５】
Ｔ.３７方式を利用できない場合は（ステップＳ３０４；Ｎ）、出力設定手段３２は低画質、小容量の出力モード（第３出力モード）を選択する（ステップＳ３０６）。その出力モードに従って画像変換部２９で変換した画像データを通信先に出力し（ステップＳ３０７）、処理を終了する（エンド）。
【００９６】
一方、Ｔ.３７方式を利用できる場合は（ステップＳ３０４；Ｙ）、通信先との通信が確立する前にＶｏＩＰ通信による通信を切断し（ステップＳ３１０）、通信媒体としてＴ.３７方式が登録されている出力モードを選択する（ステップＳ３１１）。そして、この出力モードに登録されている出力属性に従って画像データを画像変換部２９で変換し、変換後の画像データを電子メール形式で出力して（ステップＳ３１２）、処理を終了する（エンド）。
【００９７】
このようにＶｏＩＰ通信が有料の場合にインターネットファクシミリ機能を利用した電子メールによる方法に通信媒体を切り替えるので、画像データの通信料金を抑制できる。
【００９８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９９】
実施の形態では通信網としてＩＰ通信網や公衆回線網を利用していたが、他の通信網であってもかまわない。
【０１００】
実施の形態では、画像通信装置について説明したが、たとえば、パーソナルコンピュータに画像通信のプログラムを搭載したものであってもよいし、ＶｏＩＰ通信を利用したテレビ電話装置において特定信号に基づいてその画像データの圧縮方式などを変更するものであってもよい。
【０１０１】
実施の形態では、特定信号は音声信号であったが、特定信号は他の種類の信号でもかまわない。たとえば、特定信号は光信号や映像信号などであってもよい。また、特定信号としてデータパケットを受信し、それに含まれているヘッダ情報などから通信経路が無料であるか、有料であるかを判断してもよい。特定信号が示す情報は、通信の料金に係わる情報ではなく、ＩＰ通信網と公衆回線網とを識別する情報でもよいし、回線品質を示す情報でもよい。これにより、画像通信装置２０はより多様な形式の特定信号を受信して、判別できる。さらに、特定信号は、その通信先との通信に利用する経路に応じて発信されるので、通信先に合わせて出力属性をより細かく設定することができる。
【０１０２】
なお、実施の形態では、通信の確立前に特定信号を受信してそれを判別していたが、その判別のタイミングはＩＴＵ−Ｔ勧告Ｔ.３０準拠のＧ３ファクシミリの送信手順フェーズＢで画質などの出力属性を確定する前であれば、能力交換の結果と出力設定手段３２が選択する出力モードに登録されている出力属性とを総合して最適な出力属性が設定できる。また、能力交換後であっても出力設定手段３２が選択する出力モードに登録されている出力属性に応じて通信の途中から出力属性を変更すれば、その後の通信時間を短縮して通信料金を抑制できる。
【０１０３】
さらに、実施の形態では、特定信号の判別に第１から第３特定信号判別処理のいずれかを使用したが、これらを総合したり他の要素と組み合わせたりして特定信号を判別するように構成してもよい。これにより、複数の要素が混在する複雑な特定信号、たとえば、特定信号が特定の音階（周波数）とリズム（発信間隔）とを合わせたメロディ音などであっても判別できる。
【０１０４】
実施の形態では、読み取った原稿の画像データを一旦保存してから出力したが、発呼後に読み取りを開始してもよい。これにより、記憶容量を気にせずに処理を実行できると共に、最終的に決定した出力属性に従って読み取りを行なえばよいので、読み取り済みの画像データに対して解像度などを変換する処理が不要になる。
【０１０５】
実施の形態では、特定信号に応じて設定される出力属性は画像データの画質、解像度、符号化モードであったが、設定される出力属性はこれらに限らず、たとえば、画像データの回転方向、縮小率、カラー／黒白モードなど画像データに係わる属性であれば他のものであってもかまわない。
【０１０６】
また、実施の形態では、特定信号を受信してから出力モードを選択して画像データの解像度などを変換するようにしたが、想定される出力モード別に予め画像データを画像変換部２９で変換して記憶しておき、それらの中から特定信号の判別結果に応じた画像データを選択して出力する構成でもかまわない。これにより、特定信号の判別後、すぐに画像データを出力することが可能になる。
【０１０７】
実施の形態では、出力モードを出力設定手段３２で自動選択したが、特定信号を判別し、その判別結果に基づいて、設定可能な出力モード候補を表示手段としての表示操作部２７に表示させ、表示された出力モード候補の内、所望の出力モードにつき選択手段としての表示操作部２７を用いて選択し、選択された出力モードに基づいて、画像データの出力属性を設定するようにしてもよい。また、表示操作部２７などからユーザによる出力モードの選択を受け付け、これを自動選択より優先して適用する機能を設けてもよい。たとえば、詳細な図面を高画質で出力する必要がある場合にユーザ操作によって高画質の出力モードを選択しておけば、特定信号の判別結果に拠ることなく高画質での出力が可能になる。
【０１０８】
さらに、実施の形態では通信毎に特定信号を判別して出力モードを選択していたが、以前の通信の履歴情報を記憶手段に記憶しておき、その記憶された情報を参照して出力モードの選択を行なうように構成してもよい。より具体的には、通信先毎に、判別結果および／または出力属性の設定内容を記憶手段に記憶させ、この判別結果および／または出力属性の設定内容を読み出し、該読み出しした判別結果および／または出力属性の設定内容に基づいて画像データの出力属性や出力モードの設定を行うようにしても良い。これにより、同じ通信先との通信毎に特定信号を判別することなく、記憶された情報を基にして最適な出力モードを選択または設定できる。
【０１０９】
なお、実施の形態では、インターネットファクシミリ機能としてＴ.３７方式を利用したが、Ｔ.３８準拠の方式を利用してもよいし、その他のＩＰ通信網上で稼動するアプリケーションを利用して画像データを出力してもかまわない。
【０１１０】
また、実施の形態では、画像データの出力についての場合を説明したが、たとえばポーリング機能などを利用して所定の通信先から画像データを取得する場合にも特定信号を判別して、その判別結果から受信する画像データの画質などを選択してもよい。たとえば、能力交換で受信側から送信側へ表示する能力を特定信号の判別結果に応じて制限すればよい。
【０１１１】
実施の形態では、画像通信装置を複合機として説明していたが、画像データを通信する装置であれば通信部を備えたコンピュータ装置などでもよい。たとえば、複数のコンピュータ間で動画や静止画などを出力するアプリケーションなどにおいて特定信号を判別し、その出力する画質や解像度や圧縮方法などを調整するようなものであっても本発明は適応される。また、コンピュータ装置上で動作するアプリケーションプログラムによって上記の機能を実現するようにしてもかまわない。
【０１１２】
なお、実施の形態では、通信先に応じて受信する特定信号を判別したが、通信先に拠らない特定信号を用いて判別を行なってもよい。たとえば、ＩＰ通信網が利用可能か否かを示す特定信号を発呼する前に網と接続した段階で受信可能な場合には、通信先を特定して発呼する前にＩＰ通信網が利用可能か否かを認識できる。そこで、ＩＰ通信網を利用できないことが発呼前に判明した場合は、他の利用可能な通信網（たとえば、公衆回線網）に適した出力モードを発呼前に選択して予め画像データ量を低減させておくなどの措置が可能になる。
【０１１３】
また、実施の形態では特定信号が通信料金を示す場合について説明したが、特定信号が他の情報を示す場合にも適用できる。たとえば、特定信号が回線品質を示している場合ならば、回線品質が悪いと判別したときに、画像データの出力属性にＥＣＭ（Error Correction Mode）を設定し、確実に相手に送信することができる。
【図面の簡単な説明】
【０１１４】
【図１】本発明の実施の形態に係わる画像通信装置を使用して、画像データを出力するネットワーク構成の一例を示す説明図である。
【図２】本発明の実施の形態に係わる画像通信装置の電気的構成を示すブロック図である。
【図３】画像通信装置がＶｏＩＰ通信を利用して公衆回線網に接続されている画像通信装置に画像データを出力する通信経路の一例を示す説明図である。
【図４】画像通信装置がＶｏＩＰ通信を利用して公衆回線網を経由してＩＰ通信網に接続されている画像通信装置に画像データを出力する通信経路の一例を示す説明図である。
【図５】画像通信装置がＶｏＩＰ通信を利用してＩＰ通信網に接続されている画像通信装置に画像データを出力する通信経路の一例を示す説明図である。
【図６】特定信号の有無を判別する第１特定信号判別処理を示す流れ図である。
【図７】特定信号の周波数を判別する第２特定信号判別処理を示す流れ図である。
【図８】特定信号の発信間隔を判別する第３特定信号判別処理を示す流れ図である。
【図９】本実施の形態に係わる画像通信装置が特定信号の判別結果に基づいて画像データの出力モードを選択し、出力する処理を示す流れ図である。
【図１０】本実施の形態に係わる画像通信装置が特定信号の判別結果に基づいて画像データの出力に用いる通信媒体を選択し、出力をする処理を示す流れ図である。
【符号の説明】
【０１１５】
１０、１０ａ…画像通信システム
１１…インターネット
１２…公衆回線網
１３…アダプタ
１４、１４ａ、１４ｂ…電話機
１５…パーソナルコンピュータ
１６…呼制御サーバ
１７、１７ａ…ゲートウェイ
２０、２０ａ、２０ｂ、２０ｃ…画像通信装置
２１…ＣＰＵ
２２…ＲＯＭ
２３…ＲＡＭ
２４…読取部
２５…プリンタ部
２６…ファクシミリ部
２７…表示操作部
２８…通信部
２９…画像変換部
３１…信号判別手段
３２…出力設定手段
３３…通信媒体切替手段
Ｓｇ１、Ｓｇ２、Ｓｇ３…ネットワークセグメント
Ｒ１、Ｒ２、Ｒ３…通信経路
【図１】
2007013445.tif 000003
【図２】
2007013445.tif 000004
【図３】
2007013445.tif 000005
【図４】
2007013445.tif 000006
【図５】
2007013445.tif 000007
【図６】
2007013445.tif 000008
【図７】
2007013445.tif 000009
【図８】
2007013445.tif 000010
【図９】
2007013445.tif 000011
【図１０】
2007013445.tif 000012